(57)【要約】  【課題】冷蔵庫等の物品貯蔵装置において、物品を冷却する等以外の異なる機能を必要とする場合にも新たな設置スペースを必要とすることなく機能を提供する。  【解決手段】複数の収納容器を着脱可能に具備した物品貯蔵装置を本体として、該本体に具備した前記各収納容器を、互換性を持つ形状、大きさとし、この各収納容器毎に、それぞれ異なる機能を創り出す機能装置を設け、必要に応じて前記各収納容器の機能装置を運転することにより、前記物品貯蔵装置に異なる複数の機能を持たせることができる。また、相互の前記収納容器を差換えることにより、使用頻度の高い収納容器を使い勝手のよい位置に配置できる。【選択図】図５
2006145153.tif 000002
【特許請求の範囲】
【請求項１】
複数の収納容器を着脱可能に具備した物品貯蔵装置であって、前記各収納容器は、物品貯蔵装置本体に設けられた収納空間に装着されるもので、相互に互換性を持っていずれの収納空間にも装着可能なように装着部形状、装着部寸法が統一されており、また、前記各収納容器は、該容器内環境を異なる環境に創出する機能創出手段を備えており、前記機能創出手段が創出する容器内環境は、前記各容器によって異なるものとし、さらに、前記収納空間における少なくとも一つに、前記機能創出手段を駆動する電源部を設けた物品貯蔵装置。
【請求項２】
前記電源部は、前記物品貯蔵装置本体の収納空間に設けられ、供給電力を出力する供給側電源装置と、前記少なくとも一方の前記収納容器に設けられ、前記電源部を備える収納空間への装着状態において、前記供給側電源装置より電力の供給を受ける受給側電源装置より構成され、さらに前記機能創出手段に、前記受給側電源装置の電源によって駆動される駆動手段を設けた請求項１に記載の物品貯蔵装置。
【請求項３】
前記物品貯蔵装置本体および前記収納容器の少なくともいずれか一方に、前記収納容器が、前記物品貯蔵装置本体へ正常に装着されたことを検出する位置検出手段を設け、この位置検出手段の正常検出により、前記機能創出手段の動作を可能とする請求項１または２に記載の物品貯蔵装置。
【請求項４】
前記物品貯蔵装置本体もしくは前記収納容器の少なくともいずれか一方に、前記装着された収納容器の機能創出手段が、前記物品貯蔵装置本体に適応するか否かの認証判定を行う判定手段と、前記判定手段の適応判定により前記機能創出手段への通電を開始する通電制御手段を設けた請求項１から３のいずれか一項に記載の物品貯蔵装置。
【請求項５】
前記物品貯蔵装置本体もしくは前記収納容器の少なくともいずれか一方に、前記判定手段の認証結果を報知する報知手段を設けた請求項４に記載の物品貯蔵装置。
【請求項６】
前記物品貯蔵装置本体の各収納空間に、供給電力を出力する供給側電源装置を設け、さらに前記各収納容器に、前記供給側電源装置を備える収納空間への装着状態において、前記供給側電源装置より電力の供給を受ける受給側電源装置を設け、また前記各機能創出手段に、前記受給側電源装置の電源によって駆動される駆動手段を設けた請求項１から５のいずれか一項に記載の物品貯蔵装置。
【請求項７】
前記判定手段による認証判定検出の信号交信を無線信号にて行う請求項４から６のいずれか一項に記載の物品貯蔵装置。
【請求項８】
前記供給側電源装置および前記受給側電源装置のそれぞれを、非接触型の電源装置とした請求項２から７のいずれか一項に記載の物品貯蔵装置。
【請求項９】
前記物品貯蔵装置本体に、前記位置検出手段による不正規位置信号および前記判定手段による非認証信号のいずれかの信号により、前記供給側電源装置の作動を停止する請求項３から８のいずれか一項に記載の物品貯蔵装置。
【請求項１０】
前記各供給側電源装置は、前記物品貯蔵装置本体に設けた各収納空間における同一箇所に配置され、前記各収納容器に設けられた受給側電源装置は、前記収納空間における正規位置での装着状態において、前記供給側電源装置と機械的にもしくは無線的に前記供給側電源装置と接続される位置に設けた請求項６から９のいずれか一項に記載の物品貯蔵装置。
【請求項１１】
少なくとも前記位置検出手段を、前記物品貯蔵装置本体の各収納空間および各収納容器における同一箇所に設けた請求項３から１０のいずれか一項に記載の物品貯蔵装置。
【請求項１２】
少なくとも前記受給側電源装置、通電制御手段を、前記収納容器における一面に配置した請求項４から１１のいずれか一項に記載の物品貯蔵装置。
【発明の詳細な説明】
【技術分野】
【０００１】
本発明は、使用者の目的や生活シーンに合わせて機能の変更が簡単に行える物品貯蔵装置に関するものである。
【背景技術】
【０００２】
食料品等を保存する物品貯蔵装置としては、家庭用冷蔵庫（以下、冷蔵庫と称す）が一般的である。この冷蔵庫は、近年、冷凍冷蔵による食品保存機能に加えて、脱臭機能や自動製氷装置や解凍調理機能などの付加機能を搭載したものが数多く普及している。
【０００３】
しかし、前記冷蔵庫は、前記各機能を本体に組込んだ一体化構造であるため、前記各付加機能の変更や容量の変更ができず、装備された以外の機能を求める場合は、前記冷蔵庫の買換えとなる。
【０００４】
一方、使用者のライフスタイルに応じて冷蔵庫の容積や各貯蔵室のレイアウト組合せが変更できる冷蔵庫も考えられている（例えば、特許文献１参照）。
【０００５】
以下、図面を参照しながら上記特許文献１に記載される従来の技術について説明する。
【０００６】
図１４はユニット化された各貯蔵室を自由に配置、組合せ、容積の変更・増減することができるコンポーネント冷蔵庫の斜視図である。
【０００７】
同図において、前記冷蔵庫は、ブライン冷却式のペルチェ素子で貯蔵室を冷却する第１から第３の貯蔵ユニット１０１、１０２、１０３と、蒸気圧縮式の冷凍サイクルで貯蔵室を冷却する第４の貯蔵ユニット１０４、および各貯蔵ユニット１０１、１０２、１０３、１０４の冷却動作の際に発生する熱を放熱する放熱ユニット１００の積層構成からなり、各貯蔵室ユニット１０１〜１０４は、互いに異なる温度帯に設定でき、それぞれ扉１０１ａ〜１０４ａを備えて冷気が互いに循環しないように独立した貯蔵室構成となっている。
【０００８】
また、安全な電源供給方式として、無線形態の一種である非接触型の電源供給方式が知られている（例えば、特許文献２参照）。
【０００９】
図１５は、上記特許文献２に記載された非接触電源装置を備える携帯電話の制御回路構成図である。
【００１０】
図１５に示すように、構成要件は、充電器１０５と、該充電器１０５へ着脱自在に装着される携帯電話機（以下、電話機と称す）１１２とから成り、電話機１１２が充電器１０５に装着された状態では、充電器１０５に設けられた一次側結合回路１１０と電話機１１２に設けられ、かつ受発信手段等の負荷１１４の電源となる二次側結合回路１１３とが電磁結合する構成である。
【００１１】
かかる電源装置は、一次側結合回路１１０の電流値を検出する電流検出回路１０９と、一次側結合回路１１０の実電流値と基準電流値との差分値を算出する補正値算出手段と、一次側結合回路１１０の電流制限値と前記差分値とを足し合わせて得られる値を閾値として一次側結合回路１１０の過電流を判定する過電流検出手段を設け、過電流が検出されたときには、電源１０６の一次側結合回路１１０への給電を遮断する給電遮断回路１０８を具備している。前記補正値算出手段と過電流判定手段は、充電器１０５に設けた制御マイコン１０７によって構成されている。
【特許文献１】特開２００３−１３０５３８号公報
【特許文献２】特開２００１−１１２１８９号公報
【発明の開示】
【発明が解決しようとする課題】
【００１２】
しかしながら、上記特許文献１に示すように、複数の貯蔵ユニット１０１〜１０４を積層する構成は、その貯蔵ユニット１０１〜１０４の追加や組換え変更を行うには重く、作業が大変であるとともに複雑な構造であり、実用性に欠ける。
【００１３】
また、上記特許文献１は、冷凍冷蔵機能に限定されたものであり、多種多様・細分化されたニーズへの対応のための、異なる機能追加・変更には、改善、工夫が伴うものである。
【００１４】
さらに、機能拡張を図る際に、上記特許文献２に示される非接触型の電源供給方式は有益であるが、上記特許文献２の電源供給制御は、過電流検知を行うのみで、電源供給を行う一次側結合回路１１０と二次側結合回路１１３が電磁結合する条件であれば、負荷１１４の種類に関わらず負荷１１４への電源供給が行われてしまう。したがって、上記特許文献２の構成であると、負荷１１４に適した電源供給を行う保証はなく、低電圧での動作など、不安全な動作をさせる可能性を持つという課題を有していた。
【課題を解決するための手段】
【００１５】
上記従来の課題を解決するために、本発明の物品貯蔵装置は、複数の収納容器を着脱可能に具備した物品貯蔵装置において、前記各収納容器は、物品貯蔵装置本体に設けられた収納空間に装着されるもので、相互に互換性を持っていずれの収納空間にも装着可能なように装着部形状、装着部寸法が統一されており、また、前記各収納容器は、該容器内環境を異なる環境に創出する機能創出手段を備えており、前記機能創出手段が創出する容器内環境は、前記各収納容器によって異なるものとし、さらに、前記収納空間における少なくとも一つに、前記機能創出手段を駆動する電源部を設けたものである。
【００１６】
かかる構成は、必要とする機能を備えた前記収納容器を、前記電源部を有する収納空間へ差換えることにより、物品貯蔵装置に異なる機能を付加することができる。
【００１７】
また、本発明は、前記物品貯蔵装置本体および前記収納容器の少なくともいずれか一方に、前記収納容器が、前記物品貯蔵装置本体へ正常に装着されたことを検出する位置検出手段を設け、この位置検出手段の正常検出により、前記機能創出手段の動作を可能としたもので、かかる構成により、所謂不適合状態での運転が防止できる。
【００１８】
さらに、本発明は、物品貯蔵装置本体と収納容器の通電手段、あるいは制御関係信号の授受を無線方式とすることにより、回路接続の手間が不要となるものである。
【発明の効果】
【００１９】
本発明の物品貯蔵装置は、使用者の目的に合わせて、湿度やイオンなどの空質を可変する機能や、攪拌と冷却保存を同時に行う機能、さらには温蔵機能など、アクチュエータやセンサなどの種類・構成が異なる複数の機能装置を備える収納容器を備え、必要に応じて所望の機能を備えた収納容器を、電源部を有する収納空間へ差換えることにより、所望する機能が得られ、機能の変更・拡張、機能の再配置ができる多用途な物品貯蔵装置が構成できる。
【００２０】
また、非接触型の通信手段、電源装置を備えることで、収納容器の差換えに伴う電気の機械的な接続作業が不要となり、使い勝手が向上する。特に、非接触型電源の場合は、飲食物の保存の際に発生した水分や汚れに起因する漏電などの危険性を防ぐことができ、また、非接触電源の電源供給を収納容器の適正の是非を認証した後に行うことで、不特定多数の非接触電源機器を搭載した際に、定格仕様外での動作等、不安全な機器動作を防ぐことができる。
【００２１】
したがって、本発明の物品貯蔵装置は、使用者の目的に合わせて、機能装置を備える収納容器の差換えによって、搭載する機能を安全かつ簡単に追加・変更・再配置ができる多用途でかつ使い勝手がよい物品貯蔵装置が提供できるものである。
【発明を実施するための最良の形態】
【００２２】
請求項１に記載の発明は、複数の収納容器を着脱可能に具備した物品貯蔵装置であって、前記各収納容器は、物品貯蔵装置本体に設けられた収納空間に装着されるもので、相互に互換性を持っていずれの収納空間にも装着可能なように装着部形状、装着部寸法が統一されており、また、前記各収納容器は、該容器内環境を異なる環境に創出する機能創出手段を備えており、前記機能創出手段が創出する容器内環境は、前記各容器によって異なるものとし、さらに、前記収納空間における少なくとも一つに、前記機能創出手段を駆動する電源部を設けたものである。
【００２３】
かかる構成により、前記収納容器の備える機能を必要とする場合は、前記電源部を有する収納空間に該機能を備える収納容器を装着すればよい。これにより、必要とする機能を備えた収納容器の運転が可能となり、貯蔵装置の付加価値を高めることが可能となる。また、使用しない収納容器は、残る収納空間へ装着することにより、衛生さを保つことができる。
【００２４】
請求項２に記載の発明は、請求項１に記載の発明において、前記電源部を、前記物品貯蔵装置本体の収納空間に設けられ、供給電力を出力する供給側電源装置と、前記少なくとも一方の前記収納容器に設けられ、前記電源部を備える収納空間への装着状態において、前記供給側電源装置より電力の供給を受ける受給側電源装置より構成され、さらに前記機能創出手段に、前記受給側電源装置の電源によって駆動される駆動手段を設けたものである。
【００２５】
したがって、前記機能創出手段に電動要素を用いることができ、様々な用途に適応できる付加機能を採用することができる。
【００２６】
請求項３に記載の発明は、請求項１または２に記載の発明において、前記物品貯蔵装置本体および前記収納容器の少なくともいずれか一方に、前記収納容器が、前記物品貯蔵装置本体へ正常に装着されたことを検出する位置検出手段を設け、この位置検出手段の正常検出により、前記機能創出手段の動作を可能としたものである。
【００２７】
かかる構成とすることにより、不適正な装着による前記収納容器の動作を防止し、安全性、信頼性の向上をはかることができる。
【００２８】
請求項４に記載の発明は、請求項１から３のいずれか一項に記載の発明において、前記物品貯蔵装置本体もしくは前記収納容器の少なくともいずれか一方に、前記装着された収納容器の機能創出手段が、前記物品貯蔵装置本体に適応するか否かの認証判定を行う判定手段と、前記判定手段の適応判定により前記機能創出手段への通電を開始する通電制御手段を設けたものである。
【００２９】
したがって、規定の機能創出手段以外を動作することが無く、不特定多数の機能駆動に伴う電源装置の故障、あるいは物品貯蔵装置の信頼性低下等を未然に防止することができる。
【００３０】
請求項５に記載の発明は、請求項４に記載の発明において、前記物品貯蔵装置本体もしくは前記収納容器の少なくともいずれか一方に、前記判定手段の認証結果を報知する報知手段を設けたものである。
【００３１】
かかる構成とすることにより、前記収納容器の装着不良あるいは差換え不良を、使用者に報知することができ、各収納容器の不動作による故障等の誤解の招きを抑制することができる。
【００３２】
請求項６に記載の発明は、請求項１から５のいずれか一項に記載の発明において、前記物品貯蔵装置本体の各収納空間に、供給電力を出力する供給側電源装置を設け、さらに前記各収納容器に、前記供給側電源装置を備える収納空間への装着状態において、前記供給側電源装置より電力の供給を受ける受給側電源装置を設け、また前記各機能創出手段に、前記受給側電源装置の電源によって駆動される駆動手段を設けたものである。
【００３３】
かかる構成により、必要とする機能を備えた収納容器の運転に、その都度収納容器を差換える操作が不要となり、使い勝手が向上する。また、使用頻度の高い収納容器を使いやすい収納空間に常設することも可能となる。
【００３４】
請求項７に記載の発明は、請求項４から６のいずれか一項に記載の発明において、前記判定手段による認証判定検出の信号交信を無線信号にて行うようにしたものである。
【００３５】
かかる構成とすることにより、前記各収納容器の差換えに伴う各検出構造の簡素化が可能となり、可動構成部品を削減し、物品貯蔵装置の信頼性を高めることができる。
【００３６】
請求項８に記載の発明は、請求項２から７のいずれか一項に記載の発明において、前記供給側電源装置および前記受給側電源装置のそれぞれを、非接触型の電源装置としたものである。
【００３７】
したがって、供給側および受給側の各電源装置を密封構造とすることができ、感電、漏電対策が確実であり、安全性の向上がはかれ、また、交換容器、別交換容器からコード類が露出することもなく、電源接続作業も不要となり、前記位置検出、認定判定検出構造の簡素化に加えて前記各収納容器の外観構造を一層簡素化でき、交換作業の利便性を高めることができる。
【００３８】
請求項９に記載の発明は、請求項３から８のいずれか一項に記載の発明において、前記物品貯蔵装置本体に、前記位置検出手段による不正規位置信号および前記判定手段による非認証信号のいずれかの信号により、前記供給側電源装置の作動を停止するものである。
【００３９】
これにより、収納容器の危険な装着状態での運転が防止でき、一層の安全性を高めることが可能となる。
【００４０】
請求項１０に記載の発明は、請求項６から９のいずれか一項に記載の発明において、前記各供給側電源装置は、前記物品貯蔵装置本体に設けた各収納空間における同一箇所に配置され、前記各収納容器に設けられた受給側電源装置は、前記収納空間における正規位置での装着状態において、前記供給側電源装置と機械的にもしくは無線的に前記供給側電源装置と接続される位置に設けたものである。
【００４１】
かかる構成により、全ての収納空間と収納容器における電源位置関係が統一でき、前記収納容器の差換えに伴う互換性が満足される。
【００４２】
請求項１１に記載の発明は、請求項３から１０のいずれか一項に記載の発明において、少なくとも前記位置検出手段を、前記物品貯蔵装置本体の各収納空間および各収納容器における同一箇所に設けたものである。
【００４３】
したがって、前記収納容器相互の差換えにおいても、前記各収納容器の装着状態の適正検出が可能となり、機能創出手段等の動作を確実なものとする。
【００４４】
請求項１２に記載の発明は、請求項４から１１のいずれか一項に記載の発明において、少なくとも前記受給側電源装置、通信制御手段を、前記収納容器における一面に配置したものである。
【００４５】
かかる構成とすることにより、電装部品関係等を収納容器の一面に配置して前記各収納容器の組み立て性、保守・点検作業性を良好なものとすることができる。
【００４６】
以下、本発明の実施の形態について、図面を参照しながら説明する。なお、この実施の形態によってこの発明が限定されるものではない。
【００４７】
（実施の形態１）
本発明における物品貯蔵装置の実施の形態として、食料品等を貯蔵する冷蔵庫の場合を例として説明する。
【００４８】
図１は、本発明の実施の形態１における冷蔵庫の扉の一部を開放した正面図である。図２は、同実施の形態における一つの収納貯蔵室の斜視図であり、その備える機能創出手段の一例として、アイスクリーム等を製造・調理する冷却と攪拌機能を備える装置とした。図３は、同実施の形態におけるもう一つの収納貯蔵室の斜視図であり、その備える機能創出手段の一例として、収納容器内をＣＯ２が充満する空間に維持するＣＯ２発生機能を備える装置とした。図４は、同実施の形態における冷蔵庫における正面からの要部断面図で、図２および図３に示す収納貯蔵室を装着した状態を示している。図５は、同実施の形態における収納貯蔵室装着時の冷蔵庫の制御回路構成図である。
【００４９】
図１に示す冷蔵庫は、断熱性の箱体からなる冷蔵庫本体１と、冷凍室１ａと、複数の冷蔵室１ｂ、１ｃに加えて、装着、取外し可能な容器状の収納貯蔵室２、３と、冷凍室１ａ、各冷蔵室１ｂ、１ｃの内部の状態等を表示する表示部４を備えている。複数の収納貯蔵室２、３は、一般的な上面が開口した容器状の形態、あるいは引出しを備えるケース状の形態のいずれであってもよい。本実施の形態１においては、引出しを備えるケース状の構成を例に説明する。そしてこれらの収納貯蔵室２、３は、図４に示す如く、冷蔵庫本体１の中央部において左右に配置された収納空間１ｄ、１ｅ内に装着されている。また、各収納貯蔵室２、３は、冷蔵庫本体１に設けられた冷却システムによる冷気が、冷蔵庫本体１の内壁面に設けられたダクト（図示せず）を介して内部に導入される構成を具備しており、周知の如く内部は冷蔵保存状態が維持される。この構成については、周知の構成でよいため、説明を省略する。
【００５０】
図２および図３において、ケース状の収納貯蔵室２、３は、断熱性の箱体からなり、その外形および外形寸法は、双方とも外形が同一形状、同一寸法に形成され、相互に差換え可能にして冷蔵庫本体１に装着される。そして、各収納貯蔵室２、３は、それぞれ引出し可能な収納容器５、６を具備しており、後述する機能を収納容器５、６内空間に提供する機能創出装置を内部に具備している。また、各収納貯蔵室２、３は、冷蔵庫本体１への装着状態において、その外壁部にて前記ダクトを塞ぎ、冷蔵庫本体１からの冷気の侵入を無くして、収納容器５、６内の環境を独自に創出する構成を備えているが、必要に応じて冷蔵庫本体１への装着状態において、前記ダクトと連通する開口部７を設け、各収納貯蔵室２、３内へ冷気を取り込む構成とすることも可能である。
【００５１】
ここで、図２により、収納貯蔵室２の構成について説明する。
【００５２】
収納貯蔵室２は、内部に、冷却・攪拌機能により調理される材料を収容する収納容器５が抜き出し可能に設けられており、この収納容器５内の環境が、前記冷却・攪拌機能によって創出される。
【００５３】
本実施の形態においては、一方の収納貯蔵室２を、内部で牛乳等を冷却しながら攪拌し、アイスクリームを製造、冷却保存する装置として説明している。アイスクリームの製造方法については、既知の内容であり、また本発明の要旨に直接関係しないため、説明を省略する。また、収納容器５の機能としては、アイスクリームに限らず、材料、原料等を冷却・攪拌保存する保冷機器、あるいは必要な機能を備えた調理機器等に幅広く適用できる。
【００５４】
前記冷却および攪拌機能を備える収納貯蔵室２は、収納容器５内の冷却を行うペルチェ素子８、収納容器５内の材料の攪拌を行う攪拌翼９ａおよびこれを駆動するモータ９ｂ等からなる回転負荷９、および収納容器５内の温度を検知する温度センサ１０、さらに交換貯蔵室４の機能が設定どおりに得られるように各機器を制御する電源部を含む機能制御部１１、および信号通信用の赤外線素子１２を備えている。
【００５５】
ペルチェ素子８、回転負荷９、温度センサ１０、機能制御部１１および赤外線素子１２は、収納貯蔵室２の天面部に集中配置され、表面が露呈しないように埋設して取付けられている。これらの配置面は、天面に限らず、一側面、あるいは底面としてもよい。要は、組み立て作業性が良好となるように適宜面に配置すればよいものである。
【００５６】
さらに、収納空間１ｄの天面壁内部および収納貯蔵室２の機能制御部１１には、図４に示す如くファラデーの法則に基づく原理を利用した周知の構成からなる非接触電源装置１３が設けられている。この非接触電源装置１３は、収納空間１ｄ、１ｅの各天面壁内部に設けられた供給側電源部１４と、収納貯蔵室２の天面壁内部に設けられた機能制御部１１の一部である受給側電源部１５より構成されている。また、収納空間１ｄの天面壁内部には、収納貯蔵室２の天面壁内部に設けた赤外線素子１２と対をなし、周知の如く通信信号の授受を行う信号通信用の赤外線素子１６が設けられている。供給側電源部１４と、受給側電源部１５および、赤外線素子１２、１６は、収納貯蔵室２が収納空間１ｄの設定位置に装着された状態でそれぞれの光軸が一致し、通信信号の授受がしっかり行われて冷却・攪拌機能が動作可能となる。
【００５７】
また、収納貯蔵室２の相対する両側面（左右側面）には、奥行き方向に延びる凹状の支持溝１７が上下に対で設けられている。さらに、収納貯蔵室２および収納容器５の表面部（前面部）には、冷蔵庫本体１からの取出しが容易に行えるように把手、指掛等の手持ち手段２ａ、５ａが設けられている。この手持ち手段２ａ、５ａの具体的な構成は、周知の構成でよく、説明を省略する。
【００５８】
また、冷蔵庫本体１における収納空間１ｄの相対する側壁（左右側壁）には、収納貯蔵室２に設けた支持溝１７と対称的に図４に示す如く支持溝１７と嵌合することにより、収納貯蔵室２を装着、取り出し可能に支持する上下一対の支持凸条１８が奥行き方向に延びて設けられている。
【００５９】
次に、他方の収納貯蔵室３の構成について説明を詳述する。
【００６０】
図３において、前述の如く収納貯蔵室３は、通常は、冷蔵庫本体１の収納空間１ｅに装着されている。そして、収納貯蔵室２と相互に差換えが可能な如く、同一形状、同一寸法に形成されているが、収納容器６の寸法は、後述する機能等の関係から収納貯蔵室２の収納容器５とは異なっている。この各収納容器５、６の寸法、形状等は、必要に応じて同一寸法、同一形状とすることも可能である。
【００６１】
また、収納貯蔵室３は、収納貯蔵室２の創出機能（冷却・攪拌機能）とは異なる創出機能を備えており、本実施の形態においては、ＣＯ２発生により食品の保鮮向上を図るべく、収納容器６内の空間をＣＯ２密度の高い環境に形成するＣＯ２発生装置１９を機能創出手段として備えている。このＣＯ２発生装置１９は、周知の原理構成でよいため、詳細についての説明は省略する。さらに、収納貯蔵室３は、前述の如く収納貯蔵室２と互換性を持たせる関係から、ＣＯ２発生装置１９等の運転を制御する機能制御部２０が設けられている。また、収納貯蔵室３とこれを収納する収納空間１ｅには、前述の収納貯蔵室２および収納空間１ｄと同様に、収納貯蔵室３の正規位置への装着状態において機能する供給側電源部２１と受給側電源部２２からなる非接触電源装置２３と、通信信号の授受を行う赤外線素子２４、２５が、それぞれ対をなして設けられており、さらに、収納貯蔵室３には、ＣＯ２発生装置１９によるＣＯ２の濃度を検出するＣＯ２濃度センサ２６が設けられている。
【００６２】
上記収納貯蔵室３と収納空間１ｅについても、前述の収納貯蔵室２および収納空間１ｄと互換性を持たせる関係から、収納貯蔵室３に設けられた受給側電源部２２、赤外線素子２５に加えて機能制御部２０、ＣＯ２発生装置１９、ＣＯ２濃度センサ２６がそれぞれ収納貯蔵室３の天面壁部に集中して配置され、これと対応して収納空間１ｅの天面壁部に、供給側電源部２１、赤外線素子２４がそれぞれ配置されている。
【００６３】
また、収納貯蔵室３の相対する両側面（左右側面）には、収納貯蔵室２と同様に、奥行き方向に延びる凹状の支持溝１７が上下に対で設けられ、さらに、収納貯蔵室３および収納容器６の表面部（前面部）には、冷蔵庫本体１からの取出しが容易に行えるように把手、指掛等の手持ち手段３ａ、６ａが設けられている。この手持ち手段３ａ、６ａの具体的な構成は、周知の構成でよく、説明を省略する。
【００６４】
ここで、収納空間１ｄ、１ｅおよび収納貯蔵室２、３は、相互に差換えが可能となる構成であるため、図４に示すように少なくとも赤外線素子１２、１６、２４、２５および供給側電源部１４、２１と受給側電源部１５、２２はそれぞれの場所において同じ位置に設けられており、収納貯蔵室２、３がいずれの収納空間１ｄ、１ｅに装着されても動作するように構成されている。さらに、収納貯蔵室３と収納空間１ｅには、収納貯蔵室２と収納空間１ｄと同様に、支持機構である支持溝２７と支持凸条２８が設けられている。
【００６５】
また、収納貯蔵室２、３の各前面には、運転スイッチ２９、３０がそれぞれ設けられ、任意に各収納貯蔵室２、３に設けた機能創出手段の運転が行えるように構成されている。さらに、冷蔵庫本体１における各収納空間１ｄ、１ｅには、適宜位置に位置検出スイッチ３１、３２が設けられている。
【００６６】
次に、図５に基づき、制御回路構成について説明する。ここで、上述と同じ構成要件については、同一の符号を付して説明を省略する。
【００６７】
同図において、冷蔵庫本体１には、既存機能を維持するためのコンプレッサ３３やファン３４、表示部４の制御を行う冷蔵庫制御装置３５と、供給側電源部１４、２１と、赤外線素子１６、２５さらには位置検出スイッチ３１、３２が設けられている。
【００６８】
また、各収納貯蔵室２、３には、上述の如く赤外線素子１６、２５と対をなす赤外線素子１２、２４と、各供給側電源部１４、２１と対をなす受給側電源部１５、２２と、各収納貯蔵室２、３が備える機能創出手段を構成する各構成要件（ペルチェ素子８、回転負荷９、温度センサ１０、ＣＯ２発生装置１９、ＣＯ２発濃度センサ２６、機能制御部１１、２０）および受給側電源部１５、２２を電源として動作し、赤外線素子１２、２４、温度センサ１０あるいはＣＯ２発濃度センサ２６等からの信号を基に前述の機能創出手段を構成する各構成要件の運転をコントロールする機能制御装置３６、３７が設けられている。
【００６９】
さらに、前述の如く本実施の形態１においては、収納貯蔵室２、３の装着が設定位置であればＯＮ動作となって、「正規設定位置」である信号を冷蔵庫制御装置３５へ出力する位置検出スイッチ３１、３２を冷蔵庫本体１の各収納空間１ｄ、１ｅに設けている。この信号を受けた冷蔵庫制御装置３５は、各収納貯蔵室２、３に設けた運転スイッチ２９、３０の操作により、以降における各収納貯蔵室４の運転の開始を可能にする。
【００７０】
前記位置検出の原理は、各収納貯蔵室２、３の正規位置での装着により押圧され動作する機構、あるいは各収納貯蔵室２、３の正規位置での装着により光等の信号を遮断して検知する無線式等のように周知の原理を用いた構成であればよいため、詳細な説明を省略する。さらに、本実施の形態１においては、位置検出スイッチ３１、３２による位置検出が行われない状態で、各収納貯蔵室２、３の運転を開始すると、ブザー音等により警告を発する警告装置３８を備えている。
【００７１】
その具体的な構成の一例を簡単に説明すると、冷蔵庫本体１の各収納空間１ｄ、１ｅに各収納貯蔵室２、３が装着されていることを別途設けた検出手段（図示せず）にて検出し、この検出信号にて冷蔵庫制御装置３５がカウントを開始し、所定時間経過しても前述の位置検出スイッチ３１、３２による信号が確認されなければ警告を発すとともに、検出できなかった供給側電源部１４、２１への通電を停止する構成で実現できる。前記検出手段等は、周知の構成でよいため、説明を省略する。もちろん、収納貯蔵室２、３が正規位置に装着されない限り冷蔵庫制御装置３５は、収納貯蔵室２、３への電源供給を行わない構成となっている。これにより、より確実に収納貯蔵室２、３の正規位置への装着を促すことができる。また、位置検出スイッチ３１、３２等の位置検出手段は、冷蔵庫本体１側に限らず、収納貯蔵室２、３側に設けた構成としてもよく、さらに冷蔵庫本体１側に設けた部品と、収納貯蔵室２、３側に設けた部品で対をなす位置検出手段構成としてもよい。
【００７２】
そして、機能制御装置３６、３７および冷蔵庫制御装置３５等は、周知の如くマイクロコンピュータを中心とする回路構成となっており、さらに、各種制御内容についても、周知の如くプログラム制御により行われる構成となっている。
【００７３】
上記構成において、通常冷蔵庫本体１の一方の収納空間１ｄには、収納貯蔵室２が装着され、また他方の収納空間１ｅには収納貯蔵室３が装着されている。そして、必要に応じて各収納貯蔵室２、３に設けた運転スイッチ２９、３０を操作し、それぞれが持つ機能を該当する収納貯蔵室２、３で駆動する。また、例えば収納貯蔵室３のＣＯ２発生装置１９の機能を利用しない状態であれば、この収納貯蔵室３は、開口部７から所定量の冷気を取り込み、例えば野菜生鮮室として利用される。
【００７４】
そして、アイスクリームを作る場合は、収納貯蔵室２の運転スイッチ２９を操作して作動させればよい。ここでの制御内容は、既知のアイスクリームの作り方に沿った制御を行えばよいため、説明を省略する。
【００７５】
次に、例えば設置環境の関係から、図１における冷蔵庫本体１の左側が屋内壁に近接しており、しかも収納貯蔵室２の使用頻度が高く、使い勝手が悪い場合は、収納貯蔵室２と収納貯蔵室３を差換えて収納貯蔵室２を右側の収納空間１ｅへ装着することができる。
【００７６】
この差換え装着において、収納貯蔵室２および収納貯蔵室３は、それぞれ対をなす複数の支持溝１７と支持凸条１８によって嵌合支持されるため、一部の支持溝１７と支持凸条１８の嵌合が不備であれば収納空間１ｄ、１ｅへの装着が困難となり、これによって不具合が確認でき、収納空間１ｄ、１ｅへの正規の装着を促すことができる。
【００７７】
また、支持溝１７と支持凸条１８の嵌合が正常で位置ずれを生じた場合は、上述の位置検出スイッチ３１、３２および警告装置３８等の動作によって使用者に報知できる。また、その状態で、不慮に運転スイッチ２９、３０が投入された場合であっても、冷蔵庫制御装置３５の制御によって供給側電源部１４、２１への通電が行われないため、収納貯蔵室２、３は動作することがない。
【００７８】
そして、収納貯蔵室２、３の差換えが正規の状態に行われた場合は、いずれかの運転スイッチ２９、３０を操作することにより、対応する収納貯蔵室２、３が運転を開始する。
【００７９】
以上のように、本実施の形態１においては、冷蔵庫に、調理機能あるいは空質機能、さらには、季節や個人の趣味など多様なニーズに合致した必要とする機能を適宜持たせることにより、従来に無い環境を創出することが可能となり、冷蔵庫としての付加価値を高めることができる。
【００８０】
また、前記付加価値を高める機能を備えた収納貯蔵室２、３は、使い勝手が良いように任意に配置換えできるため、利便性が良いものとなる。
【００８１】
さらに、その差換えに際し、収納空間１ｄ、１ｅおよび収納貯蔵室２、３にそれぞれ設けた供給側電源部１４、２１および受給側電源部１５、２２と、制御通信信号用の赤外線素子１２、１６、２４、２５等は、同じ位置に設けている。このことは、収納貯蔵室２、３の収納空間１ｄ、１ｅへの装着操作で電源供給経路と通信制御経路が一義的に形成されることになり、取扱いおよび操作性が容易となる。また、正確な電源の受供給および信号通信が行えることから、信頼性を高めることとなる。
【００８２】
さらに、必要に応じて周知の抜け止め機構を設けることにより、収納貯蔵室２、３の安易な抜き出しが防止できる。
【００８３】
また、装着により一義的に電源供給経路、通信制御経路が形成される構成であれば、非接触の電源形態、無線（赤外線）による通信形態に限るものではなく、雌雄結合構造からなる電源形態、通信形態であっても良い。
【００８４】
さらに、本実施の形態１においては、電源供給、通信手段に、非接触型の電源手段および赤外線などの無線通信手段を採用することで、前記冷蔵庫の機能拡張を安全かつ簡単に実現することができる。特に、非接触型の電源手段は、冷媒に可燃性の高い物質を用いたノンフロン冷蔵庫への適用に際し、冷媒の漏洩等に起因する防爆対策として非常に有益である。
【００８５】
また、収納貯蔵室２、３に設けたペルチェ素子８、ＣＯ２発生装置１９等の機能創出手段、さらには機能制御部１１、２０、制御信号の通信手段である赤外線素子１２、１６、２４、２５および、非接触電源装置１３、２３等を、収納空間１ｄ、１ｅおよび収納貯蔵室２、３の各天面壁部へ集中配置することにより、特に、収納貯蔵室２、３の組み立て時において、組込み作業面が略特定され、作業性が向上する。
【００８６】
（実施の形態２）
次に、本発明の実施の形態２について図６〜図９を参照して説明する。なお、先の実施の形態１と同じ構成要素については同一の番号を付して説明を省略する。
【００８７】
図６は、本発明の実施の形態２における収納貯蔵室を搭載した冷蔵庫の制御回路構成図である。図７は、同実施の形態における冷蔵庫制御装置が備える内部メモリ構成図である。図８は、同実施の形態における冷蔵庫が備える表示部の構成図である。図９は、同実施の形態における冷蔵庫の認証制御フロー図である。
【００８８】
図６において、冷蔵庫本体１の基本構成は変わらない。また、各収納貯蔵室２、３は、先の実施の形態１の構成を採用している。本実施の形態２では、冷蔵庫制御装置３５に後述する収納貯蔵室２、３の定格仕様の認証を検出する機能を新たに備えている点が実施の形態１と相違している。
【００８９】
したがって、制御回路構成は、図６に示すように冷蔵庫制御装置３５の内部に、内部メモリ４０を備えている。この内部メモリ４０は、図７に示すように、電源電圧（交流）や電源周波数、および機能装置である回転負荷９およびＣＯ２発生装置１９へ供給可能な電源容量や最大出力電圧や電流などの仕様を示す本体データおよび、前記機能装置の種類を識別する装置コード、装置名データおよび駆動電圧や電力・電流などの電気仕様データと、負荷への通電時間（通電時間データ）や動作設定の種類（動作モードデータ）などの制御仕様データで構成されている機能データを複数格納している。前記機能データは、本実施の形態２の回転負荷９あるいはＣＯ２発生装置１９に限らず、収納貯蔵室２の温度センサ１０等からの信号を基にペルチェ素子８、回転負荷９等の運転をコントロールする機能制御部１１、さらにはＣＯ２濃度センサ２６からの信号を基にＣＯ２発生装置１９の運転を制御する機能制御部２０を含む機能制御装置３６、３７の種類、識別装置コード、装置名データ、電気仕様データ、制御仕様データ等も含んでいる。
【００９０】
このように、本実施の形態２は、内部メモリ４０が、交換貯蔵室２、３以外に、冷蔵庫本体１の収納空間１ｄ、１ｅへ互換性を持って装着される全ての収納貯蔵室２、３についての機能データを記憶していることを特徴づけている。
【００９１】
図８は冷蔵庫本体１が備える表示部４を示し、冷凍室１ａおよび各貯蔵室（冷蔵室）１ｂ、１ｃの温度表示部４１〜４３と、前述の認証結果を点灯・点滅表示する認証ＬＥＤ４４、４５および、現在各収納空間１ｄ、１ｅに装着している収納貯蔵室２、３を示す装置名表示部４６、４７と、その収納貯蔵室が貯蔵温度制御を必要とする場合の温度、あるいは前記収納貯蔵室に異常が生じた場合のエラー内容等を表示する動作表示部４８、４９を備えている。
【００９２】
次に、収納貯蔵室２、３を冷蔵庫本体１へ装着したときの冷蔵庫側および各収納貯蔵室２、３相互間で行われる相互機器の認証制御動作について説明する。なお、かかる制御は、冷蔵庫本体１の収納空間１ｄ、１ｅへ装着される他の交換貯蔵室全てにおいても行われるものであり、ここでは、本実施の形態１における収納貯蔵室２、３を例に説明する。
【００９３】
冷蔵庫本体１に各収納貯蔵室２、３が装着された状態では、図６に示す回路が構成される。そして、相互機器の認証制御内容は、図９に示す制御フローに示している。なお、この場合は、各収納貯蔵室２、３いずれも正規の位置に確実に装着されていることを前提に説明する。そして、収納貯蔵室２が運転されるものとして説明するが、他方の収納貯蔵室３が運転される場合でも同じであり、対応する側の構成要件に読み替えることで説明を省略する。
【００９４】
図９において、収納貯蔵室２の運転スイッチ２９を投入することにより、ステップ１で非接触電源装置１３により、冷蔵庫本体１（供給側電源部１４）から収納貯蔵室２（受給側電源部１５）へ低電圧（数Ｖ）の初期電源が供給される。
【００９５】
そして、ステップ２では、前述の初期電源の供給を受けた収納貯蔵室２の機能制御装置３７が、通信手段である赤外線素子１２、１６を介して自身に設定された装置コードを冷蔵庫本体１の冷蔵庫制御装置３５へ送信する。
【００９６】
ステップ３では、前記装置コードを受信した冷蔵庫制御装置３５が、図７に示す内部メモリ４０の機能データの中で、該当する装置コードが存在するかを検索し、対応可能な機能装置（冷却攪拌装置を構成する回転負荷９およびペルチェ素子８）であるか否かを確認する。ここで、内部メモリ４０内に該当する装置データが確認されるとステップ４へ移行する。
【００９７】
ステップ４では、前記装置コードに設定された電気使用データおよび制御仕様データの読込みを行う。本実施の形態２においては、図７の機能Ａデータを読み込んでいる。そして、ステップ５において、冷蔵庫本体１から収納貯蔵室２の有する機能（回転負荷９およびペルチェ素子８）への所定の給電動作へ移り、図８に示す本体表示部３が備える認証ＬＥＤ４４を点灯させ、装置名表示部４６に内部メモリ４０の装置コードから装置名（収納貯蔵室２もしくは機能表示である冷却攪拌装置）を表示する。
【００９８】
また、前述のステップ３で、装置コードが未確認の場合、供給側電源部１４の動作は停止し、認証ＬＥＤ４４は消灯状態となり、機能しない。必要性に応じて認証不可の場合、警告装置３８を用いてアラーム等の警告を発するようにしても良い。
【００９９】
そして、装着された収納貯蔵室２が認証された後は、機能制御装置３６により所定の制御が行われ、回転負荷９およびペルチェ素子８の運転制御を行う。
【０１００】
以上の制御動作は、収納貯蔵室３を運転する場合も、同じステップで機器の認証確認が行われる。
【０１０１】
また、利便性等の関係から前記双方の収納貯蔵室２、３を、収納空間１ｄ、１ｅの間で差換え、いずれかの収納貯蔵装置２、３を運転する場合も、上述のステップで、装着、収納貯蔵室２、３の適正が確認される。
【０１０２】
さらに、各収納貯蔵装置２、３が並行して使用される場合についても、上述のステップで個々にそれぞれの認証確認が行われる。
【０１０３】
以上のように本実施の形態２においては、収納貯蔵室２、３の個々の運転、あるいは並行運転、さらには収納貯蔵室２、３の差換え装着時において、それぞれの運転スイッチ２９、３０の操作後に収納貯蔵室２、３に搭載された機能装置（冷却攪拌装置、ＣＯ２発生装置３１）が正しく動作可能な装置であるかを、冷蔵庫制御装置３５の備える内部メモリ４０のデータを参照・確認することで、仕様外の電圧印加など、不安全な動作開始を防止する。
【０１０４】
また、本実施の形態２においては、内部メモリ４０の内容を書き換え、あるいは書き加えることで、認証可能な機能装置を増やすことができる。したがって、上記認証確認制御は、収納貯蔵室２、３に限らず、不特定多数の電磁結合を利用した電源を備える機器が誤って装着された場合であっても、同様に行われ、仕様外の電圧印加など、不安全な動作開始を防止する。
【０１０５】
さらに、収納貯蔵室の機能としては、冷却攪拌機能、ＣＯ２発生機能に限らず、電磁誘導加熱機能等を備えた収納貯蔵室の場合であっても良く、上述と同様に認証確認制御が行え、安全性が確保されるものである。
【０１０６】
（実施の形態３）
図１０は、本発明の実施の形態３における冷蔵庫表示部の構成図を示している。
【０１０７】
同図は、実施の形態１または実施の形態２で示した２つの収納貯蔵室２、３を冷蔵庫本体１に搭載した際に、該冷蔵庫本体１が備える電源容量を超過した場合の表示部４による表示内容を示している。
【０１０８】
すなわち、冷蔵庫の備える電源の容量には限度があり、冷蔵庫に拡張できる機能は、機能装置の構成する負荷の電源容量に影響する。本実施の形態３では、各収納貯蔵室２、３への電力供給に優先順位を持たせたもので、例えば収納貯蔵室２（収納空間１ｄ）への電源供給を優先とする制御手段を設けた場合、双方の収納貯蔵室２、３の並行運転状態において、電力容量の超過が生じると、収納貯蔵室３（ＣＯ２発生装置１９）への電源供給動作を停止し、動作表示部４９に「−−−」と表示することで、使用者に、冷蔵庫の機能拡張による電源容量超過が発生していることを報知することができる。必要に応じて先の実施の形態に示す警告装置３８を動作させても良い。
【０１０９】
以上のように本実施の形態３においては、冷蔵庫の備える電源容量によって、搭載している機能装置の動作を制限する制御手段と、報知手段を備えることで、安全な機能拡張を促すことができる。
【０１１０】
（実施の形態４）
図１１は、本発明の実施の形態４における収納貯蔵室を装着した冷蔵庫の制御回路構成図である。ここで、先の実施の形態と同じ構成要件については、同一の符号を付して説明を省略する。また、本実施の形態４においては、収納貯蔵室を先の実施の形態１における収納貯蔵室２、３を対象とした例について説明するが、かかる制御内容は、冷蔵庫本体１の収納空間１ｄ、１ｅに装着対象となる全ての収納貯蔵室にも適応されるものである。
【０１１１】
以下の説明は、運転を行う収納貯蔵室について行われるものであるが、本実施の形態４においては、収納貯蔵室２、３の並行運転状態を例に説明する。
【０１１２】
図１１に示す制御構成を持つ本実施の形態４の冷蔵庫は、冷蔵庫本体１の備える周波数変換回路５０により、供給側電源部１４、２１の動作命令以外の制御信号をある所定の周波数に変えて、所謂周知の電源重畳通信制御方式により供給側電源部１４、２１に送るように構成したものである。したがって、給電と同様に電磁結合を利用して、各収納貯蔵室２、３の機能制御装置３６、３７へ制御信号の無線通信が可能となる。
【０１１３】
図１１において、冷蔵庫本体１の制御回路部には、冷蔵庫制御装置３５からの電源周波数を所定の通信用周波数に変換する周波数変換回路５０を備えており、この周波数変換回路５０からの変換された通信用周波数は、供給側電源部１４、２１へ供給される。供給側電源部１４、２１は、動力要素電圧と通信要素電圧を各収納貯蔵室２、３の受給側電源部１５、２２へ供給する。各収納貯蔵室２、３では、受給側電源部１５、２２にて供給側電源部１４、２１からの電源供給を受け、通信用周波数成分は、周波数検知回路５１、５２にてその周波数が検知され、通信信号として各機能制御装置３６、３７へ供給される。機能制御装置３６、３７では、周波数検知回路５１、５２からの所定の周波数の電流波形を検知し、冷蔵庫制御装置３５からの制御信号を認識する。
【０１１４】
また、機能制御装置３６、３７にて確認・認識された通信信号は、同様に周波数変換回路５３、５４にて通信周波数に変換され、各受給側電源部１５、２２へ供給される。この各受給側電源部１５、２２では、供給側電源部１４、２１との電源授受の動作の中に前記通信用周波数を重畳し、供給側電源部１４、２１へ送信する。供給側電源部１４、２１では、冷蔵庫本体１に設けた周波数検知回路６１にて収納貯蔵室２、３側からの通信周波数を検知し、冷蔵庫制御装置３５へ送信する。冷蔵庫制御装置３５では、その検知内容を判断し、収納貯蔵室２、３側の確認・認識内容が正規の内容であれば、電源の供給を開始し、不正であれば電源の供給を行わない。
【０１１５】
以上のように本実施の形態４においては、実施の形態１、あるいは実施の形態２に示すように、赤外線素子などを用いて制御信号の無線通信を行う必要がないため、電源と制御信号の経路を分けることなく、電源に制御信号を重畳させて、冷蔵庫と収納貯蔵室２、３の適合性認識や適正な給電制御を行うことができる。
【０１１６】
（実施の形態５）
図１２は、本発明の実施の形態５における収納貯蔵室を装着した冷蔵庫の正面からの要部断面図である。また、図１３は、同実施の形態における収納貯蔵室を装着した冷蔵庫の制御回路構成図である。
【０１１７】
ここで、先の実施の形態と同じ構成要件については、同一の符号を付して説明を省略する。また、本実施の形態５においては、収納貯蔵室を先の実施の形態１における収納貯蔵室２、３を対象とした例について説明するが、かかる制御内容は、冷蔵庫本体１の収納空間１ｄ、１ｅに装着対象となる全ての収納貯蔵室にも適応されるものである。
【０１１８】
本実施の形態５は、冷蔵庫本体１における各収納空間１ｄ、１ｅの天面壁部と、各収納貯蔵室２、３の側壁に、収納貯蔵室２、３の正規の取付け位置範囲において反応動作する磁性開閉スイッチ５５、５６を設けている。さらに詳述すると、各収納貯蔵室２、３の天面壁部の所定位置には、磁性素子（磁石）５７、５８が埋設され、また冷蔵庫本体１における各収納空間１ｄ、１ｅの天面壁部の所定位置には、磁性素子５７、５８の磁力で閉路する磁性スイッチ５９、６０が埋設されている。これら一対の磁性開閉スイッチ５５、５６の動作等は、周知であり詳細な説明は省略する。磁性開閉スイッチ５５、５６は、図１３に示すように、冷蔵庫制御装置３５から各供給側電源部１４、２１の経路間にそれぞれ設けられている。
【０１１９】
以上のように構成された冷蔵庫は、冷蔵庫本体１に収納貯蔵室２、３を正規の状態に装着した際に、磁性素子５７、５８の近接により、冷蔵庫本体１の磁性スイッチ５９、６０がＯＮする。そして、冷蔵庫制御装置３５の命令により供給側電源部１４、２１が動作する。また逆に、収納貯蔵室２、３を取外した際は、磁性スイッチ５９、６０がＯＦＦし、冷蔵庫制御装置３５からの命令経路が途絶え、供給側電源部１４、２１による給電動作が停止する。ここで、冷蔵庫制御装置３５および機能制御装置３６、３７による制御機能は、先の実施の形態１〜４と同様の内容でよいため、説明を省略する。
【０１２０】
かかる構成においては、各磁性開閉スイッチ５５、５６が収納貯蔵室２、３の位置検出を兼ねる機能も備えているため、位置検出スイッチ３１、３２は省略することもできる。
【０１２１】
以上のように本実施の形態５においては、複雑な操作をすることなく、収納貯蔵室２、３を冷蔵庫本体１から外すことで、冷蔵庫本体１の給電動作が停止するため、不必要な電源を持つことがなく、高い安全性と省エネ効果が期待できる。
【０１２２】
なお、上記各実施の形態１〜５においては、収納貯蔵室の機能として、アイスクリームを製造、冷却保存する装置とＣＯ２発生装置の２種類を例に説明したが、収納貯蔵室の機能としては、電磁誘導加熱機能、給湯機能等のように加熱を主体とする機能、あるいは収納貯蔵室内における空間の空質を所定のガス空間に維持する空質主体の機能等、電源によって作動する機能装置であれば、広く応用が可能である。
【０１２３】
そして、上述の様々な機能に対応する複数の収納貯蔵室をオプションとして備え、常設の収納貯蔵室と差換えて用いることにより、冷蔵庫により多くの付加機能を持たせることができ、冷蔵庫の機能価値を一層高めることができる。
【０１２４】
また、本発明は、食品に限らず、微生物の培養等の貯蔵装置としても応用できる。
【０１２５】
さらに、上記各実施の形態１〜５においては、収納貯蔵室２、３の電源部として非接触電源装置１３、２３をそれぞれ冷蔵庫本体１の各収納空間１ｄ、１ｅに設けた構成としたが、一方の収納空間にのみ電源装置を設け、必要に応じて一方の収納貯蔵室を、自身が持つ機能を用いず単なる物品貯蔵に用いるように構成しても良い。
【産業上の利用可能性】
【０１２６】
以上のように、本発明にかかる物品貯蔵装置は、異なる機能を備える収納貯蔵室を複数備え、必要とする機能を有する収納貯蔵室の運転により、使用者の目的やライフスタイルに適した機能が得られる。また、使用頻度の高い収納貯蔵室を使い易い側に差換えることにより、一層使い勝手が向上する。例えば２つ以上の収納貯蔵室に非接触電源装置を備えた冷蔵庫を本体とした場合、冷蔵庫自体を買換えることなしに、趣味や季節、必要性に応じての機能を備えた収納貯蔵室を冷蔵庫に搭載でき、また異なる機能を備えるそれぞれの収納貯蔵室の搭載場所を変更することが可能となり、不必要な際は機能を具備した収納貯蔵室の運転を停止、あるいは該収納貯蔵室を取り外すことで、従来の冷蔵庫の貯蔵室としても使用可能となる。このように、本発明は、付加価値を高めた冷蔵庫等の物品貯蔵装置を提供することができる。
【図面の簡単な説明】
【０１２７】
【図１】本発明の実施の形態１における冷蔵庫の片扉開放状態を示す正面図
【図２】同実施の形態における収納貯蔵室の斜視図
【図３】同実施の形態における異なる収納貯蔵室の斜視図
【図４】同実施の形態における収納貯蔵室を装着した冷蔵庫の正面要部断面図
【図５】同実施の形態における収納貯蔵室を装着した冷蔵庫の制御回路構成図
【図６】本発明の実施の形態２における収納貯蔵室を装着した冷蔵庫の制御回路構成図
【図７】同実施の形態における冷蔵庫制御装置が備える内部メモリ構成図
【図８】同実施の形態における冷蔵庫が備える表示部の構成図
【図９】同実施の形態における冷蔵庫の認証制御フロー図
【図１０】本発明の実施の形態３における電源容量超過時の冷蔵庫の表示部の構成図
【図１１】本発明の実施の形態４における収納貯蔵室を装着した冷蔵庫の制御回路構成図
【図１２】本発明の実施の形態５における収納貯蔵室を装着した冷蔵庫の正面要部断面図
【図１３】同実施の形態における収納貯蔵室を装着した冷蔵庫の制御回路構成図
【図１４】従来例を示すコンポーネント冷蔵庫の斜視図
【図１５】異なる従来例を示す携帯電話の制御回路構成図
【符号の説明】
【０１２８】
１    冷蔵庫本体（物品貯蔵装置本体）
１ｄ，１ｅ  収納空間
５，６  収納容器
４    表示部
１３  非接触電源装置
１４，２１  供給側電源部（供給側電源装置）
１５，２２  受給側電源部（受給側電源装置）
３１，３２  位置検出スイッチ（位置検出手段）
３６，３７  機能制御装置（機能創出手段）
３８  警告装置（報知手段）
【図１】
2006145153.tif 000003
【図２】
2006145153.tif 000004
【図３】
2006145153.tif 000005
【図４】
2006145153.tif 000006
【図５】
2006145153.tif 000007
【図６】
2006145153.tif 000008
【図７】
2006145153.tif 000009
【図８】
2006145153.tif 000010
【図９】
2006145153.tif 000011
【図１０】
2006145153.tif 000012
【図１１】
2006145153.tif 000013
【図１２】
2006145153.tif 000014
【図１３】
2006145153.tif 000015
【図１４】
2006145153.tif 000016
【図１５】
2006145153.tif 000017